(57)【要約】【課題】  マッサージ性を確実に担保し得るマッサージ器の提供。【解決手段】  帯状の本体を頭部に巻いて用いられ、圧搾空気の給排によって膨張収縮をする気室袋と、気室袋の膨張を阻止させる阻止面を有する阻止部材とを備え、気室袋と阻止部材とは、阻止部材が気室袋の表側に隣接し、気室袋が阻止部材の裏側に隣接するよう、本体に装着された構成のマッサージ器。【選択図】  図１
2017012614.tif 000002
【特許請求の範囲】
【請求項１】
帯状の本体を頭部に巻いて用いるマッサージ器であって、
圧搾空気の給排によって膨張収縮をする気室袋と、該気室袋の膨張を阻止させる阻止面を有する阻止部材とを備え、
前記気室袋と前記阻止部材とは、該阻止部材が前記気室袋の表側に隣接し、該気室袋が前記阻止部材の裏側に隣接するよう、前記本体に装着されたことを特徴とするマッサージ器。
【請求項２】
前記本体は生地から袋状に形成され、前記気室袋および阻止部材は前記本体に内装され、前記阻止部材は可撓性を有する板状部材である請求項１記載のマッサージ器。
【請求項３】
前記気室袋の膨張により移動する揉玉を装着させる装着部を、前記気室袋に対して阻止部材の反対側である裏面側に備えた請求項１または請求項２に記載のマッサージ器。
【発明の詳細な説明】
【技術分野】
【０００１】
本発明はマッサージ器に関し、特にユーザーがその頭部に装着して用いるマッサージ器に関する。
【背景技術】
【０００２】
従来、下記特許文献１に記載のマッサージ器が提案されている。特許文献１に記載のマッサージ器は、生地からなる帯状の本体と、本体に内装された帯状の気室袋とを備え、ユーザーの頭部に装着して用いられる。特許文献１のマッサージ器では、圧搾空気が気室袋に給排されることで、気室袋が膨張収縮をする。
【先行技術文献】
【特許文献】
【０００３】
【特許文献１】特開２００３−２３５９２０号公報
【発明の概要】
【発明が解決しようとする課題】
【０００４】
特許文献１に記載されたマッサージ器は、単に気室袋が生地からなる本体に内装されているのみの構成である。このため、気室袋の膨張力は、ユーザーの頭部によって反力を受けると、その膨張力が表側へ逃げてしまう。このため、頭部のマッサージ性を担保できない。
【０００５】
そこで本発明は、マッサージ性を確実に担保し得るマッサージ器の提供を課題とする。
【課題を解決するための手段】
【０００６】
本発明は、帯状の本体を頭部に巻いて用いるマッサージ器であって、圧搾空気の給排によって膨張収縮をする気室袋と、該気室袋の膨張を阻止させる阻止面を有する阻止部材とを備え、前記気室袋と前記阻止部材とは、該阻止部材が前記気室袋の表側に隣接し、該気室袋が前記阻止部材の裏側に隣接するよう、前記本体に装着されたことを特徴としている。
【０００７】
本発明のマッサージ器では、気室袋に圧搾空気が給気されると気室袋が膨張するが、気室袋が膨張して気室袋がユーザーの頭部から反力を受けても、気室袋は阻止部材の阻止面によって本体の表面側への膨張が阻止されることで、その分だけ裏面側への膨張力が増大して頭部へのマッサージ性を担保する。
【０００８】
本発明のマッサージ器では、前記本体は生地から袋状に形成され、前記気室袋および阻止部材は前記本体に内装され、前記阻止部材は可撓性を有する板状部材である構成を採用できる。
【０００９】
上記構成によれば、阻止部材は板状であっても可撓性を有することで、本体を頭部に装着し易く、しかも阻止面によって本体の表面側への膨張が阻止されることで、その分だけ裏面側へ向かう膨張力が増大して頭部へのマッサージ性を担保する。
【００１０】
本発明のマッサージ器では、前記気室袋の膨張により移動する揉玉を装着させる装着部を、前記気室袋に対して阻止部材の反対側である裏面側に備えた構成を採用できる。
【００１１】
上記構成によれば、装着部に装着された揉玉が、気室袋の膨張によってユーザーの頭部をマッサージするよう移動する。
【発明の効果】
【００１２】
本発明のマッサージ器によれば、気室袋に圧搾空気が給気されると気室袋が膨張するが、気室袋が膨張して気室袋がユーザーの頭部から反力を受けても、気室袋は阻止部材の阻止面によって本体の表面側への膨張が阻止されることで、その分だけ裏面側への膨張力が増大して頭部へのマッサージ性を確実に担保することができる。
【図面の簡単な説明】
【００１３】
【図１】本発明の一実施形態に係るマッサージ器の表面生地側からの本体展開状態図である。
【図２】同裏面生地側からの本体展開状態図である。
【図３】同本体を環状にした全体斜視図である。
【図４】同使用状態を表す側面図である。
【図５】同図１におけるＡ−Ａ線断面矢視図である。
【図６】同制御部のブロック図と配管の構成の概略図である。
【発明を実施するための形態】
【００１４】
以下、本発明の一実施形態に係るマッサージ器を、図１ないし図６を参照しつつ説明する。マッサージ器１は、ユーザーが頭部に装着して用いられる。図１ないし図３に示すように、マッサージ器１は、帯状の本体２を備える。本体２は伸縮性を有する生地から袋状に形成されている。図４に示すように、本体２はユーザーの頭部において、側頭部Ｈ１から後頭部Ｈ２にかけて宛がわれる広幅部３と、広幅部３の一端側に配置されて、前頭部Ｈ３に宛がわれる狭幅部４とを備える。
【００１５】
広幅部３の表面生地５の一端部側から狭幅部４の表面生地５にかけて、面ファスナの、フック部６とループ部７が本体２の長手方向Ｌに沿うよう並べて配置されている。広幅部３の他端側にはバックル８が取付けられている。バックル８の挿通孔８ａに狭幅部４を通して狭幅部４を折返すことで、フック部６とループ部７が係止して、本体２を環状に保形することができる。
【００１６】
すなわち、ユーザーは、帯状の本体２を頭部の周囲に巻くよう宛がって、バックル８の挿通孔８ａに狭幅部４を通して狭幅部４を折返し、フック部６とループ部７を係止させることで、本体２を頭部に装着する。なお、表面生地５に比べて裏面生地９のほうが、伸縮性に富んでいる。一例を挙げると、裏面生地９としてネオプレーンが用いられ、表面生地５として皮生地が用いられている。
【００１７】
図５に示すように、広幅部３の裏面生地９に、揉玉１０を着脱自在に装着することのできる装着部としてのポケットが配置されている。ポケットは本体２を形成する生地と同様、伸縮性を有する生地により形成されている。本実施形態では、ポケットは四つ設けられている。図２に示すように、中央の二個の中央ポケット１１Ａの長手方向離間距離（「第一離間距離」と称する）Ｌ１と、中央ポケット１１Ａに対して長手方向外側に配置された外側ポケット１１Ｂとの長手方向離間距離（「第二離間距離」と称する）Ｌ２とは、異なっている。すなわち、第一離間距離Ｌ１に比べて第二離間距離Ｌ２の方が長く設定されている。
【００１８】
中央ポケット１１Ａは、収容される揉玉１０が後頭部Ｈ２の「風池」、「天柱」と称される経穴（一般的に「ツボ」と称される特定部分）をマッサージ（押圧）できるよう、本体２に配置されている。外側ポケット１１Ｂは、収容される揉玉１０が側頭部Ｈ１の「太陽」、「頷厭」と称される経穴をマッサージできるよう本体２に配置されている。なお、各ポケットは、ユーザーの頭部のサイズに応じてこれらの経穴の位置に揉玉１０が宛がわれるよう、共通の揉玉挿入口１２の奥部が、長手方向に隣合う複数の収容部１３（図では三つ）に区画されている。図３に示すように、揉玉１０は、全体を合成ゴムにより形成され、先端側を半球体状に形成され、基端側を円錐台状に形成されている。
【００１９】
マッサージ器１は、気室袋、阻止部材１６、配管１７、および操作部１８をさらに備えている。図４に示すように、気室袋、阻止部材１６、配管１７の一部は、本体２に内装されている。
【００２０】
気室袋は複数個設けられている。具体的には、気室袋は、各ポケットに前後方向（表側裏側）で対応する位置に配置されているから、四つ設けられている。各ポケットの大きさは、各気室袋の大きさと略一致するよう形成されている。気室袋は中央気室袋１４と、外側気室袋１５とを備えてなる。各気室袋１４，１５は矩形に形成されており、柔軟性を有する合成樹脂により袋状に形成され、圧搾空気の給排によって、主として前後方向に膨張収縮をする。各気室袋は、同じ大きさであり、経穴を揉玉１０が効率的に押圧（マッサージ）するよう、各気室袋は本体２内に余裕をもって収容される大きさに設定されている。なお、各ポケットは、気室袋に対して阻止部材１６の反対側に配置されている。
【００２１】
阻止部材１６は、硬質の合成樹脂から形成されている。阻止部材１６は、厚みをできるだけ薄く形成することで、充分な可撓性を備えて割れにくい。阻止部材１６は、本体２内において気室袋に対して表面生地５側に隣り合って配置されており、気室袋が表面生地５側へ膨張するのを阻止するものである。阻止部材１６において、気室袋に接触する後面が阻止面１９である。阻止部材１６は、広幅部３全域に亘る長さの帯状に形成されている。
【００２２】
阻止部材１６には、その長手方向途中で、ユーザーの耳Ｅに相当する部分に、阻止部材１６の下辺１６ａから切欠かれる切欠２０が形成されている。切欠２０は、一方の中央気室袋１４と一方の外側気室袋１５との間に相当する領域、および他方の中央気室袋１４と他方の外側気室袋１５との間に相当する領域に形成されている。すなわち切欠２０は、本体２を頭部に巻いた際に、ユーザーの耳Ｅに対応する箇所に配置されている。これら切欠２０は、半円状に形成されている。
【００２３】
各気室袋１４，１５の前面側に、阻止部材１６および後述の内装生地２１を貫通する取入管２２が接続されている。取入管２２は、各気室袋１４，１５に空気を取入れるための配管である。取入管２２が阻止部材１６を貫通することで、各気室袋１４，１５は、阻止部材１６に支持されている。
【００２４】
広幅部３の内部には、配管室２３が形成されている。配管室２３は、広幅部３の長手方向に亘って形成されている。広幅部３は、本体２の表面生地５と、表面生地５の裏側に配置された内装生地２１とによって袋状に形成されている。
【００２５】
配管１７は、各気室袋１４，１５に圧搾空気を給気するための管路である。具体的に、配管１７は、本管２４と、各気室袋１４，１５に接続される枝管とを備える。本管２４は一本であり、枝管は二本設けられている。本管２４は、本体２の表面生地５から本体２内に挿入される。具体的に、本管２４は広幅部３の表面生地５の長手方向中心の下方寄り位置から広幅部３の内部に挿入されている。本体２を頭部に巻いた際に、本管２４が後頭部Ｈ２の左右幅方向中心にあるようにすることが好ましい。
【００２６】
枝管は、本管２４から分岐して双方の中央気室袋１４に接続された中央枝管２５と、本管２４の先端から分岐して双方の外側気室袋１５に接続された外側枝管２６とからなる。中央枝管２５、外側枝管２６が各気室袋１４，１５に接続された取入管２２に接続されている。本管２４に対して中央気室袋１４は近く、外側気室袋１５は遠いので、中央枝管２５と外側枝管２６の長手方向の長さは異なる。この場合、中央枝管２５に比べて外側枝管２６のほうが長い。
【００２７】
マッサージ器１の操作部１８は、本管２４を介して各気室袋１４，１５に圧搾空気を給排させる、図６に示す駆動部２７を備えている。駆動部２７は、ケース２８に内装されたモータ２９、エアポンプ３０、電磁式排気弁３１、制御部３２、電源スイッチ３３、駆動力調整スイッチ３４を備える。
【００２８】
制御部３２の入力側に、ユニバーサル・シリアル・バスプラグ（以下「ＵＳＢプラグ」と称する）３５、電源スイッチ３３、駆動力調整スイッチ３４が接続されている。制御部３２の出力側に、モータ２９、電磁式排気弁３１が接続されている。本管２４は、エアポンプ３０に電磁式排気弁３１を介して接続されている。すなわち、マッサージ器１は、ＵＳＢプラグ３５を用いて電力を駆動部２７に供給するよう構成されており、ＵＳＢプラグ３５がリード線Ｒ（図３参照）を介して駆動部２７（制御部３２）に接続されている。駆動部２７への定格入力電圧は５Ｖに設定されている。本実施形態では、この定格入力電圧に応じた出力のモータ２９が用いられている。
【００２９】
制御部３２は、電源スイッチ３３からの入力信号により、モータ２９に駆動信号を出力するとともに、電磁式排気弁３１に開弁信号を出力する機能と、電源スイッチ３３からの解除信号により、モータ２９に駆動停止信号を出力するとともに、閉弁信号を電磁式排気弁３１に出力する機能とを有している。
【００３０】
制御部３２は、駆動力調整スイッチ３４からの調整信号により、モータ２９の回転数を変更する（エアポンプ３０の稼働力を調整する）機能と、電源スイッチ３３からの入力信号を検出してから所定時間経過後に、電磁式排気弁３１に閉弁信号を出力する（圧搾空気を電磁式排気弁の排気通路から排気させる）機能とを、さらに有している。
【００３１】
上記構成のマッサージ器１は、図４に示すように、ユーザーの頭部に装着して用いられる。マッサージ器１を使用する際、ユーザーは、帯状の本体２を頭部の周囲に巻くよう宛がって、バックル８の挿通孔８ａに狭幅部４を通して狭幅部４を折返し、フック部６とループ部７を係止させることで、本体２を頭部に装着する。
【００３２】
この際、狭幅部４が前頭部Ｈ３に位置し、広幅部３が側頭部Ｈ１に位置するよう、本体２を巻く。このようにすると、切欠２０が耳Ｅに位置するようになって、周囲の音を遮りにくい。また、幅狭である狭幅部４を前頭部Ｈ３に位置させるので、本体２を頭部に巻くように装着しても、ユーザーは煩わしさを感じにくい。また、本体２には硬質の合成樹脂からなる阻止部材１６が内装されているが、阻止部材１６は、厚みをできるだけ薄く形成することで、充分な可撓性を備えて割れにくいから、本体２を違和感なく頭部に巻くことができる。
【００３３】
揉玉１０を用いるか用いないかはユーザーの選択により、用いる場合を説明すると、ユーザーは中央ポケット１１Ａか、外側ポケット１１Ｂに揉玉１０を押し込むようにして収容し、上記のようにして本体２を頭部に巻く。すべてのポケットにおける中央ポケット１１Ａか、外側ポケット１１Ｂかに揉玉１０を収容して用いる場合では、中央ポケット１１Ａにある揉玉１０が、後頭部Ｈ２の「風池」、「天柱」と称される経穴に略相当する位置となるよう、外側ポケット１１Ｂにある揉玉１０が、側頭部Ｈ１の「太陽」、「頷厭」と称される経穴に略相当する位置となるよう、本体２を頭部に巻く。
【００３４】
上記のようにして本体２を頭部に巻くと、本管２４は、後頭部Ｈ２の略中心に位置して、本管２４は自重により垂下する。すなわち、本管２４は、ユーザーの視界に入らない位置にあるから、煩わしさがない。また、配管１７のうち枝管２５，２６は配管室２３に収められているから目立たなく、本体２の扱いに枝管２５，２６が邪魔になることもない。
【００３５】
ユーザーは、本体２を頭部に巻いた状態で、ＵＳＢプラグ３５を、例えば、ＵＳＢ給電可能なモバイルバッテリーや机上のコンピュータ装置（パーソナルコンピュータ、ノート型パーソナルコンピュータ）のインターフェイスである、ＵＳＢソケットに挿込む。そうすると、ＵＳＢソケットからは直流の小電力が、ＵＳＢプラグ３５を介して制御部３２に供給され得る状態となり、電源スイッチ３３が操作されると、制御部３２はモータ２９に駆動信号を出力し、エアポンプ３０から圧搾空気が本管２４へ送られる。この際、制御部３２が、電磁式排気弁３１に開弁信号を出力して、電磁式排気弁３１が開くことで、圧搾空気が本管２４へ送られる。
【００３６】
本管２４へ送られた圧搾空気は、中央枝管２５、外側枝管２６のそれぞれに分岐して、取入管２２を介して中央気室袋１４、外側気室袋１５へ送られる。そうすると、中央気室袋１４、外側気室袋１５が膨張をする。ここで、阻止部材１６が本体２内において気室袋に対して表面生地５側に隣り合って配置されており、気室袋が表面生地５側へ膨張するのを阻止することで、中央気室袋１４、および外側気室袋１５の膨張力は、阻止部材１６の阻止面１９から反力を受けて裏側へ向けて増大し、本体２の裏面生地９の伸縮力に抗して裏側へ向けて働く。本管２４が後頭部Ｈ２の左右幅方向中心にあって、枝管２５，２６は本管２４から左右へ対象に枝分かれしていることで、各中央気室袋１４、外側気室袋１５にバランス良く給気がされる。
【００３７】
取入管２２が阻止部材１６を貫通することで、各気室袋１４，１５は、阻止部材１６に支持されているから、各気室袋１４，１５は安定して位置を保持している。気室袋は、各ポケットに前後方向で対応する位置に配置されており、各ポケットの大きさは、気室袋の大きさと略一致するよう形成されている。このため、ＵＳＢソケットからＵＳＢプラグ３５を介してモータ２９に供給される電力が小電力であったとしても、各ポケットに収容された揉玉１０に対し、前記膨張力が効率的に付与されて揉玉１０を経穴に向けて移動させ、揉玉１０がポケットの生地を介して経穴を効率的に押圧することができ、マッサージ性を確実に担保することができる。
【００３８】
電源スイッチ３３から駆動信号が出力されてから、予め定められた一定時間が経過すると、制御部３２は、モータ２９に駆動停止信号を出力し、電磁式排気弁３１に閉弁信号を出力する。これにより、モータ２９は駆動を停止し、本体２の裏面生地９の伸縮力（この場合、収縮力）を受けて、各気室袋１４，１５を膨張させていた圧搾空気は、枝管２５，２６から本管２４へ逆流し、電磁式排気弁３１の排気通路から外部へ排気される。圧搾空気が枝管２５，２６から本管２４へ逆流する際も、阻止部材１６が硬質であることから、各気室袋１４，１５の収縮が阻止面１９側では阻止されるから、裏面生地９の収縮力が分散せず有効に用いられる。
【００３９】
駆動力調整スイッチ３４がユーザーに操作されることで、制御部３２はモータ２９の駆動量を減じる信号を出力する。これにより、エアポンプ３０から供給される圧搾空気の量が減じて、各気室袋１４，１５の膨張量が減じられ、揉玉１０による経穴の押圧力を減じるよう調整することができる。
【００４０】
本実施形態のマッサージ器１では、圧搾空気を用いて各気室袋１４，１５を膨張させるものであって、振動によらず、しかもユーザーの頭部の特定の部位をマッサージすることができる。また、本実施形態のマッサージ器１は、ＵＳＢソケットからＵＳＢプラグ３５を介することで電力を得て駆動する。換言すれば、ＵＳＢソケットからＵＳＢプラグ３５を外すことで可搬性を備える。また、例えば、ＵＳＢ給電可能なモバイルバッテリーがあれば使用できるため、新幹線や飛行機での移動中等、場所を選ばすに使用することができる。さらに、乾電池を電力源とするものではないため、机上に置かれたコンピュータ装置等の周辺機器として用いることができる。
【００４１】
特に、コンピュータ装置を長時間操作すると、眼精疲労、偏頭痛といった症状が発生することもあるため、本実施形態のマッサージ器１は、職場等で好適に用いることができる。また、乾電池仕様ではなくＵＳＢ仕様の電源とすることで、操作部１８（ケース２８）をコンパクトにでき、操作部１８の大重量化を抑えることができる。
【００４２】
本実施形態のマッサージ器１では、揉玉１０は、中央ポケット１１Ａ、外側ポケット１１Ｂの何れに装着して用いても、各収容部１３は気室袋１４，１５と面するよう対向していることから、同様のマッサージ性が担保される。なお、収容部１３に揉玉１０を装着して用いなくてもよく、この場合では、気室袋１４，１５の膨張力がユーザーの経穴に直接的に伝わって、マッサージをすることができる。
【００４３】
本発明は、上記実施形態に限られるものではなく、本発明の主旨を逸脱しない範囲で種々変形が可能である。その他、各部の具体的構成についても同様である。例えば、上記実施形態では、阻止部材１６は一枚の樹脂製プレートとしたが、気室袋ごとに分離された別々の樹脂製プレートとしてもよい。さらに阻止部材１６は、本体２に内装された本体２とは別部材とした。しかしながら、例えば、配管１７をできるだけ本体２の外部で取りまわすようにし、本体２の表面生地５を伸縮性のない（可撓性は備えている）材料から形成して、本体２の表面生地５を阻止部材として用いることもできる。
【００４４】
上記実施形態では、気室袋１４，１５は袋状の本体２に内装した場合を例示した。しかしながら、例えば、本体２は裏面生地９を省略して構成し、気室袋１４，１５を露出させ、気室袋１４，１５に揉玉１０を直接的に着脱する構成とすることもできる。また、気室袋は経穴に応じて配置した場合を示したが、経穴の位置に限らず気室袋を本体２に対しその長手方向に間欠的に配置することもできる。
【００４５】
上記実施形態では、複数個の気室袋を設けた構成を例示した。しかしながら本発明のマッサージ器では、本体２の長手方向に沿った一個の気室袋とすることもできる。この場合、一個の気室袋の膨張力でもって、頭部をその周囲部分でマッサージしたり、あるいは複数個の揉玉によって、経穴をマッサージしたりすることができる。
【符号の説明】
【００４６】
１…マッサージ器、２…本体、３…広幅部、４…狭幅部、５…表面生地、９…裏面生地、１０…揉玉、１１Ａ…中央ポケット、１１Ｂ…外側ポケット、１２…揉玉挿入口、１３…収容部、１４…中央気室袋、１５…外側気室袋、１６…阻止部材、１７…配管、１８…操作部、１９…阻止面、２０…切欠、２１…内装生地、２２…取入管、２３…配管室、２４…本管、２５…中央枝管、２６…外側枝管、２７…駆動部、２８…ケース、２９…モータ、３０…エアポンプ、３１…電磁式排気弁、３２…制御部、３３…電源スイッチ、３４…駆動力調整スイッチ、３５…ＵＳＢプラグ
【図１】
2017012614.tif 000003
【図２】
2017012614.tif 000004
【図３】
2017012614.tif 000005
【図４】
2017012614.tif 000006
【図５】
2017012614.tif 000007
【図６】
2017012614.tif 000008